(57)【要約】【課題】発光部の光量を増加させる。【解決手段】撮像装置１００は、複数の受光素子１４が配置された受光部１０と、受光部１０と被写体２００との間に配置された光源部３６とを具備する。光源部３６には、被写体２００に光を照射する発光部５０と、被写体２００から到来する光を受光部１０側に透過させる透過部６０とが平面状に配置され、発光部５０の周縁の少なくとも一部は、平面視で透過部６０の周縁に沿う形状である。具体的には、透過部６０の周縁は円形状であり、発光部５０の周縁の一部は、透過部６０の周縁と同心な円弧形状である。 【選択図】図３
2014089997.tif 000002
【特許請求の範囲】
【請求項１】
複数の受光素子が配置された受光部と、
前記受光部と被写体との間に配置された光源部とを具備し、
前記光源部には、前記被写体に光を照射する発光部と、前記被写体から到来する光を前記受光部側に透過させる透過部とが平面状に配置され、
前記発光部の周縁の少なくとも一部は、平面視で前記透過部の周縁に沿う形状である
撮像装置。
【請求項２】
前記光源部は、複数の前記透過部を含み、
前記発光部の周縁の少なくとも一部は、当該発光部の周囲に位置する複数の透過部の各々の周縁に沿う形状である
請求項１の撮像装置。
【請求項３】
前記透過部の周縁は円形状であり、
前記発光部の周縁の一部は、前記透過部の周縁と同心な円弧形状である、
請求項１または請求項２の撮像装置。
【請求項４】
前記被写体から到来する光を集光して前記受光部側に出射する集光部
を具備する請求項１から請求項３の何れかの撮像装置。
【請求項５】
前記光源部には、複数の前記発光部が平面状に配置され、
一の前記発光部に電流を供給する配線と他の前記発光部に電流を供給する配線とが相互に間隔をあけて形成されている
請求項１から請求項４の何れかの撮像装置。
【請求項６】
光を照射する発光部と光を透過する透過部とが平面状に配置された光源部を具備し、
前記発光部の周縁の少なくとも一部は、平面視で前記透過部の周縁に沿う形状である
照明装置。
【発明の詳細な説明】
【技術分野】
【０００１】
本発明は、物体を照明する技術に関する。
【背景技術】
【０００２】
生体認証のために生体の静脈像を撮像する各種の技術が従来から提案されている。例えば特許文献１には、光源層と検出層とを基板の表面に積層した構造の撮像装置が開示されている。特許文献１の技術においては、光源層の光源素子により被写体を照明し、被写体側から到来する光が、光源層の透過部を透過した後に検出層の各受光素子で検出される。
【先行技術文献】
【特許文献】
【０００３】
【特許文献１】特開２００９−３８２１号公報
【発明の概要】
【発明が解決しようとする課題】
【０００４】
特許文献１の技術のもとで被写体を鮮明に撮像するには、各光源素子から被写体に照射される光量を充分に確保することが重要である。各光源素子に供給される電気エネルギーを増加させれば光量を増加させることは可能であるが、消費電力が増大するという問題がある。なお、以上の説明では、撮像装置が撮像する被写体の照明に着目したが、照明対象となる物体から到来する光の受光側と物体との間に照明装置（いわゆるフロントライト）が設置される任意の構成のもとで同様の問題が発生し得る。以上の事情を考慮して、本発明は、物体の照明に利用可能な光量を充分に確保することを目的とする。
【課題を解決するための手段】
【０００５】
以上の課題を解決するために、本発明の撮像装置は、複数の受光素子が配置された受光部と、受光部と被写体との間に配置された光源部とを具備し、光源部には、被写体に光を照射する発光部と、被写体から到来する光を受光部側に透過させる透過部とが平面状に配置され、発光部の周縁の少なくとも一部は、平面視で透過部の周縁に沿う形状である。以上の構成では、発光部の周縁の少なくとも一部が平面視で透過部の周縁に沿う形状とされるから、例えば平面視で透過部に重ならないように矩形状の発光部を形成する場合（対比例）と比較して、発光部の面積が拡大される。したがって、充分な光量を被写体の照明に利用することが可能である。換言すると、電気エネルギーの増加により対比例と同等の光量を確保する場合と比較して消費電力を低減することが可能である。
【０００６】
本発明の好適な態様において、光源部は、複数の透過部を含み、発光部の周縁の少なくとも一部は、この発光部の周囲に位置する複数の透過部の各々の周縁に沿う形状である。以上の構成では、発光部の周縁の少なくとも一部が、この発光部の周囲に位置する複数の透過部の各々の周縁に沿う形状とされるから、対比例と比較して発光部の面積を充分に確保できるという効果は格別に顕著である。
【０００７】
本発明の好適な態様において、透過部の周縁は円形状であり、発光部の周縁の一部は、透過部の周縁と同心な円弧形状である。以上の構成では、発光部の周縁の一部が、平面視で透過部の円形状の周縁に沿う円弧形状とされるから、対比例と比較して発光部の面積を充分に確保できるという効果は格別に顕著である。
【０００８】
本発明の好適な態様において、被写体から到来する光を集光して受光部側に出射する集光部を具備する。以上の構成においては、被写体からの反射光が集光部で集光されたうえで受光部に到達するから、被写体から受光部に到達する光量を充分に確保できるという利点がある。
【０００９】
本発明の好適な態様において、光源部には、複数の発光部が平面状に配置され、一の発光部に電流を供給する配線と他の発光部に電流を供給する配線とが相互に間隔をあけて形成されている。例えば、複数の発光部は、相互に交差する第１方向（例えばＸ方向）および第２方向（例えばＹ方向）に沿って行列状に配列し、第２方向に相互に間隔をあけて第１方向に延在する複数の配線の各々が、第１方向に配列する２以上の発光部に電気的に接続される。以上の構成によれば、例えば、全部の発光部にわたる配線（例えば、複数の発光部の行列状の配列に対応する格子状の配線）を形成した場合と比較して、１個の発光部に発生し得る欠陥（例えば電極間の短絡）の影響が波及する範囲を制限できるという利点がある。
【００１０】
以上の各態様に係る撮像装置は、各種の電子機器に好適に利用される。電子機器の具体例としては、撮像装置が撮像した静脈像を利用して生体認証を実行する生体認証装置や、撮像装置が撮影した画像（例えば静脈像）から血中アルコール濃度や血糖値等の生体情報を推定する医療機器（血中アルコール濃度推定装置や血糖値推定装置等の生体情報推定装置）が例示され得る。
【００１１】
また、本発明は、物体を照明する照明装置としても特定される。本発明の照明装置は、光を照射する発光部と光を透過する透過部とが平面状に配置された光源部を具備し、発光部の周縁の少なくとも一部は、平面視で透過部の周縁に沿う形状である。本発明の照明装置は、前述の各形態で例示した撮像装置のほか、各種の電子機器の表示装置を照明する光源（フロントライト）として好適に利用され得る。
【図面の簡単な説明】
【００１２】
【図１】本発明の実施形態に係る撮像装置の断面図である。
【図２】撮像装置の分解断面図である。
【図３】撮像装置の各要素の位置関係を示す平面図である。
【図４】配線層および光源部の断面図である。
【図５】光源部の平面図である。
【図６】発光部および透過部の平面形状を説明する平面図である。
【図７】第１実施形態の効果を説明するための平面図である。
【図８】第２実施形態における照明部の平面図である。
【図９】図８におけるIX−IX線の断面図である。
【発明を実施するための形態】
【００１３】
＜第１実施形態＞
図１は、本発明の第１実施形態に係る撮像装置１００の断面図であり、図２は、撮像装置１００の分解断面図である。本実施形態の撮像装置１００は、特定の波長の光（以下「撮像光」という）を照射した状態で被写体２００を撮像するセンシング装置であり、例えば生体（典型的には人間の手指）の静脈像を撮像する生体認証装置（静脈センサー）に好適に利用される。したがって、例えば生体を透過する近赤外光が撮像光として好適である。
【００１４】
図１および図２に示すように、本実施形態の撮像装置１００は、受光部１０と集光部２０と照明部３０とを具備する。照明部３０は受光部１０の被写体２００側（受光部１０と被写体２００との間）に配置され、集光部２０は照明部３０の被写体２００側（照明部３０と被写体２００との間）に配置される。すなわち、照明部３０は受光部１０と集光部２０との間に位置する。概略的には、照明部３０から出射した撮像光で照明された被写体２００からの入射光が集光部２０にて集光されたうえで照明部３０を透過して受光部１０に到達する。
【００１５】
受光部１０は、被写体２００を撮像する要素であり、基板１２と複数の受光素子１４とを含んで構成される。基板１２は、例えば半導体材料で形成された板状部材である。複数の受光素子１４は、基板１２の被写体２００側の表面（受光面）１２１に形成され、図３に示すように、平面視で（すなわち表面１２１に垂直な方向からみて）、相互に交差するＸ方向およびＹ方向に沿って行列状に配列する。各受光素子１４は、受光量に応じた検出信号を生成する。各受光素子１４が生成した検出信号を画像処理することで被写体２００の画像が生成される。例えば公知のＣＭＯＳ（Complementary Metal Oxide Semiconductor）センサーやＣＣＤ（Charge Coupled Device）センサーが受光部１０として好適に利用される。
【００１６】
図１の集光部２０は、被写体２００側から到来する撮像光を集光する要素であり、基板２２と複数のレンズ２４（マイクロレンズ）とを含んで構成される。図２に示すように、基板２２は、被写体２００に対向する表面２２１と表面２２１の反対側の表面２２２とを含む光透過性（撮像光を透過させる性質）の板状部材である。例えばガラス基板や石英基板が基板２２として好適に採用される。複数のレンズ２４は、基板２２の表面２２２に形成される。各レンズ２４は、被写体２００から基板２２の表面２２１に入射して基板２２を透過した撮像光を集光する凸レンズである。
【００１７】
図１から図３に示すように、集光部２０の各レンズ２４と受光部１０の各受光素子１４とは１対１に対応する。具体的には、図１に示すように、各レンズ２４の光軸Ｌ0は、そのレンズ２４に対応する受光素子１４（典型的には受光素子１４の中心）を通過する。したがって、複数のレンズ２４は、図３に示す通り、各受光素子１４と同様に平面視でＸ方向およびＹ方向に沿って行列状に配列する。
【００１８】
図１の照明部３０は、撮像光を生成して被写体２００を照明するとともに各レンズ２４が集光した撮像光を各受光素子１４側に透過させる要素であり、基板３２と遮光層３３と配線層３５と光源部３６と保護層３７とを含んで構成される。図２に示すように、基板３２は、集光部２０（各レンズ２４）に対向する表面３２１と表面３２１の反対側の表面３２２とを含む光透過性の板状部材（例えばガラス基板や石英基板）である。遮光層３３は、基板３２の表面３２２に形成された遮光性（撮像光を吸収または反射させる性質）の膜体である。図１から図３に示すように、遮光層３３には、各受光素子１４に対応する複数の円形状の開口部３４が形成される。
【００１９】
図１の配線層３５は、基板３２の表面３２１に形成され、光源部３６に電流を供給するための配線を含んで構成される。光源部３６は、配線層３５の表面に形成され、被写体２００を照明するとともに被写体２００側からの撮像光を各受光素子１４側に透過させる。図２および図３に示すように、光源部３６は、平面視（すなわち基板３２の表面３２１に垂直な方向からみた状態）で複数の発光部５０と複数の透過部６０とに区分される。図３では、各発光部５０の領域に便宜的にハッチングが付されている。
【００２０】
各発光部５０は、被写体２００を照明する撮像光を生成して被写体２００側に出射する。各透過部６０は、被写体２００側からの入射光を各受光素子１４側に透過させる。図３に示すように、各透過部６０は平面視で円形状に形成される。光源部３６の各透過部６０と集光部２０の各レンズ２４（または受光部１０の各受光素子１４）とは１対１に対応する。具体的には、図１に示すように、各レンズ２４の光軸Ｌ0は、そのレンズ２４に対応する透過部６０（典型的には透過部６０の中心）を通過する。したがって、各透過部６０は、図３に示す通り、各レンズ２４や各受光素子１４と同様に平面視でＸ方向およびＹ方向に沿って行列状に配列する。各発光部５０は、図３に示す通り、周囲を各透過部６０で包囲された領域に形成される。したがって、各発光部５０も各レンズ２４や各受光素子１４と同様に平面視でＸ方向およびＹ方向に沿って行列状に配列する。図１の保護層３７は、光源部３６を封止して外気や水分から保護する要素（封止層）であり、光透過性の絶縁材料（例えば樹脂材料）で形成される。
【００２１】
受光部１０と照明部３０とは、例えば光透過性の接着剤１８で相互に間隔をあけて固定される。また、集光部２０と照明部３０とは、各々の外周部が相互に固定される。図１では、集光部２０の各レンズ２４の表面と照明部３０の保護層３７の表面とが接触するように集光部２０と照明部３０とを接合した構成が例示されている。ただし、各レンズ２４の表面と保護層３７の表面とが相互に間隔をあけて対向するように集光部２０と照明部３０とを相互に固定することも可能である。
【００２２】
以上に説明した構成において、光源部３６の発光部５０から出射した撮像光が集光部２０（基板２２および各レンズ２４）を透過して被写体２００に照射されるとともに被写体２００の内部の静脈にて散乱または反射して集光部２０に入射し、各レンズ２４で集光されたうえで光源部３６の透過部６０と基板３２と遮光層３３の開口部３４とを通過して受光素子１４に到達する。したがって、被写体２００の静脈像が撮像される。以上の構成では、光源部３６により照明された被写体２００からの撮像光が集光部２０の各レンズ２４で集光されたうえで受光素子１４に到達するから、撮像光を集光する要素が存在しない特許文献１の技術と比較して、被写体２００から各受光素子１４に到達する光量を充分に確保できるという利点がある。
【００２３】
図４は、配線層３５および光源部３６を拡大した断面図である。図４に示すように、配線層３５は、基板３２の表面３２１に形成された配線３５１と、表面３２１の全域に形成されて配線３５１を覆う光透過性の絶縁層３５２とを含んで構成される。配線層３５の配線３５１は、平面視で発光部５０に重複する領域内に形成され、各透過部６０とは重複しない。例えば、配線３５１は、相互に間隔をあけてＸ方向に延在する複数の部分と相互に間隔をあけてＹ方向に延在する複数の部分とを交差させた格子状に形成される。図４に示すように、光源部３６は、反射層３６１と絶縁層３６２と第１電極層３６３と絶縁層３６４と発光層３６５と第２電極層３６６とを含んで構成される。
【００２４】
反射層３６１は、配線層３５（絶縁層３５２）の表面のうち発光部５０に対応する領域に形成され、発光層３６５が生成する光を被写体２００側に反射させる光反射性の薄膜である。反射層３６１は、例えば銀やアルミニウムなどの導電材料で形成される。図４および図５に示すように、反射層３６１は透過部６０には形成されない。図４の絶縁層３６２は、光透過性の絶縁材料で配線層３５の面上に形成されて各反射層３６１を覆う。
【００２５】
第１電極層３６３は、絶縁層３６２の表面のうち発光部５０に対応する領域に形成される。図４および図５に示すように、第１電極層３６３は、絶縁層３６２と絶縁層３５２とを貫通するコンタクトホール３５３を介して配線層３５の配線３５１に電気的に接続され、発光層３６５に電流を供給する電極（陽極）として機能する。第１電極層３６３は、例えばＩＴＯ（Indium Tin Oxide）等の光透過性の導電材料で形成される。第１電極層３６３が形成された絶縁層３６２の面上には、絶縁層３６４が形成される。
【００２６】
発光層３６５は、第１電極層３６３および絶縁層３６４を覆うように発光部５０および透過部６０の双方にわたり略一定の膜厚に形成される。図４に示すように、発光層３６５は、電流を供給することにより発光する電気光学層であり、例えば有機ＥＬ（Electroluminescence）材料で形成される。なお、図４では便宜的に発光層３６５を単層として図示したが、発光層３６５の発光効率を向上するための電荷輸送層（正孔輸送層，電子輸送層）や電荷注入層（正孔注入層，電子注入層）を形成することも可能である。また、発光層３６５の材料は有機ＥＬ材料に限定されない。
【００２７】
第２電極層３６６は、発光層３６５の表面の全域にわたり連続に形成された光透過性の膜体であり、第１電極層３６３との間で発光層３６５に電流を供給する電極（陰極）として機能する。前述の保護層３７は、第２電極層３６６を覆うように形成される。
【００２８】
絶縁層３６４は、図５に示すように、複数の第１部分７１と複数の第２部分７２とを含んで構成される。各第１部分７１は、平面視で円環状の部分であり、各レンズ２４に対応してＸ方向およびＹ方向に沿って行列状に配列する。すなわち、各レンズ２４の光軸Ｌ0は、そのレンズ２４に対応する第１部分７１の内側（典型的には第１部分７１の中心）を通過する。各第２部分７２は、Ｘ方向またはＹ方向に相互に隣合う各第１部分７１を連結する直線状の部分である。第１電極層３６３を配線３５１に導通させるコンタクトホール３５３は、絶縁層３６４の第２部分７２で覆われる。
【００２９】
各第１部分７１の外周縁と第２部分７２の周縁とで包囲された領域内では、第１電極層３６３と第２電極層３６６とが両者間の発光層３６５に接触する。したがって、光源部３６のうち平面視で各第１部分７１の外周縁と第２部分７２の周縁とで包囲された領域が発光部５０として機能する。他方、透過部６０は、光源部３６のうち各第１部分７１の内周縁で包囲された領域である。透過部６０には第１電極層３６３が形成されないから、透過部６０内の発光層３６５は発光しない。以上に説明した通り、絶縁層３６４は、各発光部５０と各透過部６０とを画定する要素（両者を隔離する要素）として機能する。
【００３０】
図６は、発光部５０および透過部６０の平面形状を説明する平面図である。図６から理解される通り、透過部６０の周縁は、平面視で点Ｐ（レンズ２４の光軸Ｌ0上の点）を中心とする半径ｒの円Ｃ1である。円Ｃ1は、絶縁層３６４の第１部分７１の内周縁に相当する。レンズ２４による集光後の光束が光軸Ｌ0を中心線とする円錐状であることを考慮して、透過部６０（円Ｃ1）は、以上のように、光軸Ｌ0を中心として光束の断面形状に相似な円形状に形成される。
【００３１】
他方、図６には、透過部６０の円Ｃ1と同心（中心Ｐ）で円Ｃ1の半径ｒを上回る半径Ｒの円Ｃ2が図示されている。円Ｃ2は、絶縁層３６４の第１部分７１の外周縁に相当する。すなわち、半径Ｒと半径ｒとの差分が絶縁層３６４の第１部分７１の幅に相当する。発光部５０の周縁の一部は、円Ｃ2の円弧である。すなわち、発光部５０は、図６に示すように、その発光部５０の周囲に位置する４個の透過部６０の各々（円Ｃ1）と同心の各円Ｃ2の円弧と各円弧を連結する各第２部分７２の周縁とで画定される略十字形に形成される。以上の説明から理解される通り、第１実施形態における発光部５０の周縁の一部は、平面視で透過部６０の周縁（円Ｃ1）に沿う形状である。
【００３２】
図７は、第１実施形態の効果を説明するための平面図である。図７では、第１実施形態に対する対比例の発光部５０Aが、第１実施形態の発光部５０および透過部６０に重ねて破線で図示されている。図７に示すように、対比例では、平面視で各透過部６０に重ならないように矩形状の発光部５０Aが形成される。すなわち、対比例の発光部５０の周縁は直線状であり、透過部６０の円形状の周縁と平面視で沿う形状ではない。図７から理解される通り、本実施形態における発光部５０は、その周縁の一部が平面視で透過部６０の周縁に沿う形状であるから、対比例のように平面視で矩形状の発光部を形成する場合と比較して、発光部５０の面積が拡大される。したがって、対比例と比較して充分な光量を被写体２００の照明に利用することが可能である。
【００３３】
＜第２実施形態＞
本発明の第２実施形態を以下に説明する。なお、以下に例示する各態様において作用や機能が第１実施形態と同等である要素については、第１実施形態の説明で参照した符号を流用して各々の詳細な説明を適宜に省略する。
【００３４】
図８は、第２実施形態における照明部３０の平面図であり、図９は、図８におけるIX−IX線の断面図である。図８に示すように、第２実施形態においても、第１実施形態と同様に、複数の第１電極層３６３（複数の発光部５０）は、Ｘ方向およびＹ方向に沿って行列状に配列する。
【００３５】
図８および図９に示すように、第２実施形態の配線層３５は、Ｘ方向に延在する複数の配線３５１を含む。各配線３５１は、平面視でＹ方向に所定の間隔をあけて基板３２の表面３２１に形成される。具体的には、各配線３５１は、Ｙ方向に相互に隣合う各透過部６０に平面視で挟まれた領域内に直線状に形成される。したがって、各配線３５１は、図８に示すように、Ｘ方向に配列する複数の第１電極層３６３に平面視で重複し、各透過部６０とは重複しない。複数の配線３５１は、例えば各々の一端部または両端部において、所定の電位が供給される給電線に共通に接続される。
【００３６】
第２実施形態においても、各第１電極層３６３は、コンタクトホール３５３を介して各配線３５１に電気的に接続される。具体的には、Ｘ方向に延在する任意の１本の配線３５１には、Ｘ方向に配列する複数の第１電極層３６３が共通に接続される。以上の説明から理解される通り、第２実施形態では、Ｘ方向に配列する任意の１行の各発光部５０に電流を供給する配線３５１と、他の１行の各発光部５０に電流を供給する配線３５１とが、相互に間隔をあけて形成される。
【００３７】
ところで、例えば発光層３６５の成膜不良（膜厚不足や欠陥）や経年劣化等に起因して発光部５０の第１電極層３６３と第２電極層３６６とが電気的に短絡する可能性がある。第２電極層３６６は複数の発光部５０にわたり連続するから、１個の発光部５０にて第１電極層３６３と第２電極層３６６とが相互に短絡して両者間の電位差が低下する（したがって発光層に供給される電流が減少する）と、その１個の発光部５０に加えて周囲の発光部５０についても発光量の低下が発生し得る。
【００３８】
Ｘ方向に延在する複数の部分とＹ方向に延在する複数の部分とを相互に交差させた格子状に配線３５１を形成した構成（例えば第１実施形態）では、１個の発光部５０における第１電極層３６３と第２電極層３６６との短絡に起因して、その発光部５０を中心としてＸ方向およびＹ方向の双方にわたる周囲の発光部５０の発光量が低下する。すなわち、１個の発光部５０での短絡の影響がＸ方向およびＹ方向の双方に波及する。
【００３９】
他方、第２実施形態では、Ｘ方向に延在する複数の配線３５１がＹ方向に相互に間隔をあけて形成される。したがって、１個の発光部５０における第１電極層３６３と第２電極層３６６との短絡に起因して各発光部５０の発光量が低下する範囲はＸ方向に制限され、その発光部５０とはＹ方向の位置が相違する範囲（短絡が発生した発光部５０とは別個の配線３５１に接続された各発光部５０）に短絡の影響は波及しない。すなわち、第２実施形態によれば、１個の発光部５０における第１電極層３６３と第２電極層３６６との短絡に起因して各発光部５０の発光量が低下する範囲の拡大が抑制されるという利点がある。
【００４０】
＜変形例＞
前述の各形態は多様に変形され得る。具体的な変形の態様を以下に例示する。以下の例示から任意に選択された２以上の態様は適宜に併合され得る。
【００４１】
（１）前述の形態で例示した各要素は適宜に省略され得る。例えば、遮光層３３や複数のレンズ２４を省略することも可能である。また、前述の形態で例示した各要素の位置関係は適宜に変更され得る。例えば、前述の形態では、トップエミッション型の発光素子を発光部５０として形成したが、ボトムエミッション型の発光素子を発光部５０として利用すれば、光源部３６を基板３２の表面３２２に形成することも可能である。各レンズ２４を光源部３６と受光部１０との間に配置した構成も採用され得る。また、前述の形態で例示した各要素間に任意の他の要素を介在させることも可能である。
【００４２】
（２）前述の各形態では、平面視で相互に離間した複数の発光部５０を行列状に配列した構成を例示したが、光源部３６の全域にわたり発光部５０を連続させる（例えば絶縁層３６４の第２部分７２を省略する）ことも可能である。同様に、複数の透過部６０を行列状に配列した構成は適宜に変更され得る。
【００４３】
（３）前述の形態では、生体認証用の静脈像を撮像する撮像装置１００（静脈センサー）を例示したが、本発明の用途は任意である。例えば、撮像装置１００が撮像した生体の静脈像から血中アルコール濃度を推定するアルコール検出装置や、撮像装置１００が撮像した生体の静脈像から血糖値を推定する血糖値推定装置等の医療機器にも本発明は適用され得る。撮像結果を利用した血中アルコール濃度の推定や撮像結果を利用した血糖値の推定には公知の技術が任意に採用され得る。また、印刷物から画像を読取る画像読取装置に本発明を適用することも可能である。なお、画像読取装置に本発明を適用する場合には可視光が撮像光として好適に利用される。
【００４４】
（４）前述の各形態では、本発明を撮像装置に適用した形態を例示したが、任意の物体（被照明体）を照明する照明装置としても本発明は実現され得る。照明装置は、観察者と被照明体との間に配置される。具体的には、照明装置は、被照明体に光を照射する発光部５０と、被照明体から到来する光を観察者側に透過させる透過部とが平面状に配置された光源部３６を具備する。前述の各形態と同様に、各発光部５０の周縁は、平面視で透過部６０の周縁に沿う形状である。
【００４５】
本発明の照明装置は、例えば、各種の電子機器の表示装置を照明する光源（フロントライト）として好適に利用される。本発明の照明装置を利用可能な電子機器としては、例えば、テレビ，コンピュータ，携帯電話機，携帯情報端末，ゲーム装置，電子ペーパー，デジタルスチルカメラ，ビデオカメラ，カーナビゲーション装置等が例示される。ただし、本発明の照明装置の用途は表示装置の照明に限定されない。例えば、任意の被照明体を照明する可搬型の照明装置（懐中電灯）としても本発明を利用することが可能である。観察者は、被照明体の手前側に照明装置（光源部）を配置し、照明装置を介して被照明体を視認する。なお、以上に例示した本発明の照明装置において、集光部２０や遮光層３３の有無は不問である。
【符号の説明】
【００４６】
１００……撮像装置、２００……被写体、１０……受光部、１２……基板、１４……受光素子、１８……接着剤、２０……集光部、２２……基板、２４……レンズ、３０……照明部、３２……基板、３３……遮光層、３４……開口部、３５……配線層、３５１……配線、３５２……絶縁層、３５３……コンタクトホール、３６……光源部、３６１……反射層、３６２……絶縁層、３６３……第１電極層、３６４……絶縁層、３６５……発光層、３６６……第２電極層、３７……保護層、５０……発光部、６０……透過部、７１……第１部分、７２……第２部分
【図１】
2014089997.tif 000003
【図２】
2014089997.tif 000004
【図３】
2014089997.tif 000005
【図４】
2014089997.tif 000006
【図５】
2014089997.tif 000007
【図６】
2014089997.tif 000008
【図７】
2014089997.tif 000009
【図８】
2014089997.tif 000010
【図９】
2014089997.tif 000011